(57)【特許請求の範囲】
【請求項１】
第１の紙媒体と第２の紙媒体とを含む複数の紙媒体のそれぞれの任意の位置を指示する指示装置と、データを取得するデータ取得装置と、データベースにデータを登録するデータ登録装置と、を含み、
前記指示装置は、
前記複数の紙媒体のそれぞれを指示した位置と、当該位置を指示した時刻とをそれぞれ記憶する指示情報記憶手段を含み、
前記データ取得装置は、
取得したデータと、当該データを取得した時刻とを記憶する手段を含み、
前記データ登録装置は、
前記第２の紙媒体の領域毎に、前記データベースに登録された登録データをそれぞれ対応づけて記憶する記憶手段と、
前記指示情報記憶手段に記憶された時刻に基づいて、前記第１の紙媒体が順次指示された時刻により区切られた時間範囲を設定する設定手段と、
前記設定手段により設定された時間範囲において前記指示装置により指示された前記第１の紙媒体の位置に基づく位置データを特定する第１特定手段と、
前記設定手段により設定された時間範囲において前記指示装置により指示された前記第２の紙媒体の位置が含まれる領域に対応づけて、前記記憶手段に記憶される登録データを特定する第２特定手段と、
前記設定手段により設定された時間範囲に含まれる時刻において前記データ取得装置により取得されたデータと、前記第１特定手段により特定された位置データと、前記第２特定手段により特定された登録データとを関連づけて前記データベースに登録する登録手段と、を含む、
ことを特徴とするデータ登録システム。
【請求項２】
前記第１特定手段は、前記設定手段により設定された時間範囲の始期において前記指示装置により指示された前記第１の紙媒体の位置に基づいて、前記位置データを特定する、
ことを特徴とする請求項１に記載のデータ登録システム。
【請求項３】
前記複数の紙媒体はそれぞれ、位置毎に異なるドットパターンが印字され、
前記指示装置は、前記複数の紙媒体のそれぞれを指示した位置を含む領域から読み取られるドットパターンに基づいて、前記指示した位置を特定する、
ことを特徴とする請求項１又は２に記載のデータ登録システム。
【請求項４】
前記指示装置は、前記指示情報記憶手段に記憶された情報を前記データ登録装置に転送する手段をさらに含む、
ことを特徴とする請求項１乃至３のいずれかに記載のデータ登録システム。
【請求項５】
前記データ取得装置は撮像手段を含み、当該撮像手段により撮像された写真データを取得する、
ことを特徴とする請求項１に記載のデータ登録システム。
【請求項６】
前記第１の紙媒体は、前記複数の紙媒体の中から予め定められた紙媒体である、
ことを特徴とする請求項１乃至５のいずれかに記載のデータ登録システム。
【請求項７】
前記第１の紙媒体には、建物の図面が印刷され、
前記第２の紙媒体には、機器のリストが印刷され、
前記記憶手段は、前記第１の紙媒体の各位置には前記図面における位置情報を対応づけて記憶し、前記第２の紙媒体の各領域には前記リストに含まれる機器に関する情報を対応づけて記憶する、
ことを特徴とする請求項１乃至６のいずれかに記載のデータ登録システム。
【請求項８】
第１の紙媒体と第２の紙媒体とを含む複数の紙媒体のそれぞれの任意の位置を指示する指示装置と、データを取得するデータ取得装置と、データベースにデータを登録するデータ登録装置と、を用いたデータ登録方法であって、
前記指示装置が、前記複数の紙媒体のそれぞれを指示した位置と、当該位置を指示した時刻とをそれぞれ記憶する指示情報記憶ステップと、
前記データ取得装置が、取得したデータと、当該データを取得した時刻とを記憶するステップと、
前記データ登録装置が、前記第２の紙媒体の領域毎に前記データベースに登録された登録データを対応づけて記憶する記憶ステップと、
前記データ登録装置が、前記指示情報記憶ステップで記憶された時刻に基づいて、前記第１の紙媒体が指示された時刻により区切られた時間範囲を設定する設定ステップと、
前記設定ステップで設定された時間範囲において前記指示装置により指示された前記第１の紙媒体の位置に基づく位置データを特定する第１特定ステップと、
前記設定手段により設定された時間範囲において前記指示装置により指示された前記第２の紙媒体の位置が含まれる領域に対応づけて、前記記憶ステップで記憶される登録データを特定する第２特定ステップと、
前記設定ステップで設定された時間範囲に含まれる時刻において前記データ取得装置により取得されたデータと、前記第１特定ステップで特定された位置データと、前記第２特定ステップで特定された登録データとを関連づけて前記データベースに登録する登録ステップと、を含む、
ことを特徴とするデータ登録方法。
【請求項９】
第１の紙媒体と第２の紙媒体とを含む複数の紙媒体のそれぞれの任意の位置を指示し、前記複数の紙媒体のそれぞれを指示した位置と、当該位置を指示した時刻とをそれぞれ記憶する指示情報記憶手段を含む指示装置と、データを取得し、当該データと当該データを取得した時刻を記憶するデータ取得装置から情報を取得し、データベースにデータを登録するデータ登録装置であって、
前記第２の紙媒体の領域毎に前記データベースに登録された登録データを対応づけて記憶する記憶手段と、
前記指示情報記憶手段に記憶された時刻に基づいて、前記第１の紙媒体が順次指示された時刻により区切られた時間範囲を設定する設定手段と、
前記設定手段により設定された時間範囲において前記指示装置により指示された前記第１の紙媒体の位置に基づく位置データを特定する第１特定手段と、
前記設定手段により設定された時間範囲において前記指示装置により指示された前記第２の紙媒体の位置が含まれる領域に対応づけて、前記記憶手段に記憶される登録データを特定する第２特定手段と、
前記設定手段により設定された時間範囲に含まれる時刻において前記データ取得装置により取得されたデータと、前記第１特定手段により特定された位置データと、前記第２特定手段により特定された登録データとを関連づけて前記データベースに登録する登録手段と、を含む、
ことを特徴とするデータ登録装置。
【請求項１０】
第１の紙媒体と第２の紙媒体とを含む複数の紙媒体のそれぞれの任意の位置を指示し、前記複数の紙媒体のそれぞれを指示した位置と、当該位置を指示した時刻とをそれぞれ記憶する指示情報記憶手段を含む指示装置と、データを取得し、当該データと当該データを取得した時刻を記憶するデータ取得装置から情報を取得し、データベースにデータを登録するコンピュータを、
前記第２の紙媒体の領域毎に前記データベースに登録された登録データを対応づけて記憶する記憶手段、
前記指示情報記憶手段に記憶された時刻に基づいて、前記第１の紙媒体が順次指示された時刻により区切られた時間範囲を設定する設定手段、
前記設定手段により設定された時間範囲において前記指示装置により指示された前記第１の紙媒体の位置に基づく位置データを特定する第１特定手段、
前記設定手段により設定された時間範囲において前記指示装置により指示された前記第２の紙媒体の位置が含まれる領域に対応づけて、前記記憶手段に記憶される登録データを特定する第２特定手段、及び、
前記設定手段により設定された時間範囲に含まれる時刻において前記データ取得装置により取得されたデータと、前記第１特定手段により特定された位置データと、前記第２特定手段により特定された登録データとを関連づけて前記データベースに登録する登録手段、
として機能させるためのデータ登録プログラム。
【発明の詳細な説明】
【技術分野】
【０００１】
本発明は、データ登録システム、データ登録方法、データ登録装置、及びデータ登録プログラムに関する。
【背景技術】
【０００２】
建物の図面に、その建物に備え付けられている機器を登録したデータベースを構築して、建物の設備情報を管理できるようにしたシステムがある（例えば、特許文献１を参照）。
【０００３】
建物の調査や点検時には、これらのデータベースに登録された図面や設備機器リストを印刷して利用することがある。調査員は、印刷した図面と設備機器リストを見ながら、実際に機器が備え付けられている現場で、図面のどの位置にどの機器が設置されているかを照合しながら作業を行う。調査員は現場での調査が終了すると、現場での照合及び調査の結果に基づいてデータベースへの情報入力の作業を行っていた。
【特許文献１】特開２００２−３２１６７号公報
【発明の開示】
【発明が解決しようとする課題】
【０００４】
しかしながら、従来の技術では、紙に入力された調査結果の相互の関連性を判断しながら整理してさらにデータベースに入力するという作業を行う必要があるため、膨大な時間や手間がかかり大きな負担であった。
【０００５】
本発明は上記の課題に鑑みてなされたものであって、その目的の１つは、紙に入力された調査結果の間の関連づけをデータベースに登録する際の負担を低減させることができるデータ登録システム、データ登録方法、データ登録装置、及びデータ登録プログラムを提供することにある。
【課題を解決するための手段】
【０００６】
上記目的を達成するために、請求項１に記載のデータ登録システムの発明は、複数の紙媒体の任意の位置を指示する指示装置と、データベースにデータを登録するデータ登録装置と、を含み、前記指示装置は、前記各紙媒体を指示した位置と、当該位置を指示した時刻とをそれぞれ記憶する指示情報記憶手段を含み、前記データ登録装置は、前記各紙媒体の領域毎に、前記データベースに登録された登録データをそれぞれ対応づけて記憶する記憶手段と、前記指示情報記憶手段に記憶された時刻の中から、前記複数の紙媒体に含まれる１つの紙媒体が指示された第１の時刻と第２の時刻とを抽出する抽出手段と、前記抽出手段により抽出された前記時刻の少なくとも一方において前記指示装置により指示された前記１つの紙媒体の位置が含まれる領域に対応づけて、前記記憶手段に記憶される登録データを特定する第１特定手段と、前記第１の時刻と前記第２の時刻との間に、前記指示装置により指示された前記複数の紙媒体に含まれる他の紙媒体の少なくとも１つの位置が含まれる領域に対応づけて、前記記憶手段に記憶される登録データを特定する第２特定手段と、前記第１特定手段により特定された登録データと、前記第２特定手段により特定された登録データとを関連づけて前記データベースに登録する登録手段と、を含む、ことを特徴とする。
【０００７】
請求項２に記載の発明は、請求項１に記載の発明において、前記第１特定手段は、前記第１の時刻に前記指示装置により指示された前記１つの紙媒体の位置が含まれる領域に対応づけて、前記記憶手段に記憶される登録データを特定する、ことを特徴とする。
【０００８】
請求項３に記載の発明は、請求項１又は２に記載の発明において、前記紙媒体は、位置毎に異なるドットパターンが印字され、前記指示装置は、前記紙媒体を指示した位置を含む領域から読み取られるドットパターンに基づいて、前記指示した位置を特定する、ことを特徴とする。
【０００９】
請求項４に記載の発明は、請求項１乃至３のいずれかに記載の発明において、前記指示装置は、前記指示情報記憶手段に記憶された情報を前記データ登録装置に転送する手段をさらに含む、ことを特徴とする。
【００１０】
請求項５に記載の発明は、請求項１乃至４のいずれかに記載の発明において、前記データ登録システムは、データを取得するデータ取得装置をさらに含み、前記データ取得装置は、取得したデータと、当該データを取得した時刻とを記憶する手段を含み、前記登録手段は、前記第１の時刻と前記第２の時刻との間に前記データ取得装置により取得されたデータの少なくとも１つを、前記第１特定手段と前記第２特定手段との少なくとも一方により特定された登録データにさらに関連づけて前記データベースに登録する、ことを特徴とする。
【００１１】
請求項６に記載の発明は、請求項５に記載の発明において、前記データ取得装置は撮像手段を含み、当該撮像手段により撮像された写真データを取得する、ことを特徴とする。
【００１２】
請求項７に記載の発明は、請求項１乃至６のいずれかに記載の発明において、前記１つの紙媒体は、前記複数の紙媒体の中から予め定められた紙媒体である、ことを特徴とする。
【００１３】
請求項８に記載の発明は、請求項１乃至７のいずれかに記載の発明において、前記１つの紙媒体には、建物の図面が印刷され、前記他の紙媒体には、機器のリストが印刷され、前記記憶手段は、前記１つの紙媒体の各領域には前記図面における位置情報を対応づけて記憶し、前記他の紙媒体の各領域には前記リストに含まれる機器に関する情報を対応づけて記憶する、ことを特徴とする。
【００１４】
請求項９に記載のデータ登録方法の発明は、複数の紙媒体の任意の位置を指示する指示装置と、データベースにデータを登録するデータ登録装置と、を用いたデータ登録方法であって、前記指示装置が、前記各紙媒体を指示した位置と、当該位置を指示した時刻とをそれぞれ記憶する指示情報記憶ステップと、前記データ登録装置が、前記各紙媒体の領域毎に前記データベースに登録された登録データを対応づけて記憶する記憶ステップと、前記データ登録装置が、前記指示情報記憶ステップで記憶された時刻の中から、前記複数の紙媒体に含まれる１つの紙媒体が指示された第１の時刻と第２の時刻とを抽出する抽出ステップと、前記抽出ステップで抽出された前記時刻の少なくとも一方において前記指示装置により指示された前記１つの紙媒体の位置が含まれる領域に対応づけて、前記記憶手段で記憶される登録データを特定する第１特定ステップと、前記第１の時刻と前記第２の時刻との間に、前記指示装置により指示された前記複数の紙媒体に含まれる他の紙媒体の少なくとも１つの位置が含まれる領域に対応づけて、前記記憶ステップで記憶される登録データを特定する第２特定ステップと、前記第１特定ステップで特定された登録データと、前記第２特定ステップで特定された登録データとを関連づけて前記データベースに登録する登録ステップと、を含む、ことを特徴とする。
【００１５】
請求項１０に記載のデータ登録装置の発明は、複数の紙媒体の任意の位置を指示し、前記各紙媒体を指示した位置と、当該位置を指示した時刻とをそれぞれ記憶する指示情報記憶手段を含む指示装置から情報を取得し、データベースにデータを登録するデータ登録装置であって、前記各紙媒体の領域毎に前記データベースに登録された登録データを対応づけて記憶する記憶手段と、前記指示情報記憶手段に記憶された時刻の中から、前記複数の紙媒体に含まれる１つの紙媒体が指示された第１の時刻と第２の時刻とを抽出する抽出手段と、前記抽出手段により抽出された前記時刻の少なくとも一方において前記指示装置により指示された前記１つの紙媒体の位置が含まれる領域に対応づけて、前記記憶手段に記憶される登録データを特定する第１特定手段と、前記第１の時刻と前記第２の時刻との間に、前記指示装置により指示された前記複数の紙媒体に含まれる他の紙媒体の少なくとも１つの位置が含まれる領域に対応づけて、前記記憶手段に記憶される登録データを特定する第２特定手段と、前記第１特定手段により特定された登録データと、前記第２特定手段により特定された登録データとを関連づけて前記データベースに登録する登録手段と、を含む、ことを特徴とする。
【００１６】
請求項１１に記載のデータ登録プログラムの発明は、複数の紙媒体の任意の位置を指示し、前記各紙媒体を指示した位置と、当該位置を指示した時刻とをそれぞれ記憶する指示情報記憶手段を含む指示装置から情報を取得し、データベースにデータを登録するコンピュータを、前記各紙媒体の領域毎に前記データベースに登録された登録データを対応づけて記憶する記憶手段、前記指示情報記憶手段に記憶された時刻の中から、前記複数の紙媒体に含まれる１つの紙媒体が指示された第１の時刻と第２の時刻とを抽出する抽出手段、前記抽出手段により抽出された前記時刻の少なくとも一方において前記指示装置により指示された前記１つの紙媒体の位置が含まれる領域に対応づけて、前記記憶手段に記憶される登録データを特定する第１特定手段、前記第１の時刻と前記第２の時刻との間に、前記指示装置により指示された前記複数の紙媒体に含まれる他の紙媒体の少なくとも１つの位置が含まれる領域に対応づけて、前記記憶手段に記憶される登録データを特定する第２特定手段、及び、前記第１特定手段により特定された登録データと、前記第２特定手段により特定された登録データとを関連づけて前記データベースに登録する登録手段、として機能させることを特徴とする。
【発明の効果】
【００１７】
請求項１に記載の発明によれば、紙に入力された調査結果間の関連づけをデータベースに登録する際の負担を低減させることができる。
【００１８】
請求項２に記載の発明によれば、１つの紙媒体を一度指示してから次に指示するまでに、他の紙媒体を指示した位置に対応づけられたデータを、最初に指示した紙媒体の位置に対応づけられたデータに関連づけて登録することができる。
【００１９】
請求項３に記載の発明によれば、指示装置が精度良く指示位置を特定することができる。
【００２０】
請求項４に記載の発明によれば、指示装置に記憶された情報を有線通信や無線通信等によりデータ登録装置に送信することで、データ登録装置がそれらの情報を取得することができる。
【００２１】
請求項５に記載の発明によれば、紙媒体が指示された２つの時刻の間にデータ取得装置により取得されたデータを、前記時刻のいずれかにおいて指示された紙媒体の位置により特定されたデータに関連づけて登録することができる。
【００２２】
請求項６に記載の発明によれば、データ取得装置はカメラを備え、カメラにより撮像した写真を紙媒体の指示した位置に対応づけられたデータに関連づけてデータベースに登録することができる。
【００２３】
請求項７に記載の発明によれば、所定の紙媒体により特定された時間範囲内に指定された他の紙媒体の指示位置に応じたデータを関連づけることができる。
【００２４】
請求項８に記載の発明によれば、建物の図面における位置と、その位置に設置された機器とを関連づけて登録することができる。
【００２５】
請求項９に記載の発明によれば、紙に入力された調査結果間の関連づけをデータベースに登録する際の負担を低減させることができる。
【００２６】
請求項１０に記載の発明によれば、紙に入力された調査結果間の関連づけをデータベースに登録する際の負担を低減させる方法を提供できる。
【００２７】
請求項１１に記載の発明によれば、紙に入力された調査結果間の関連づけをデータベースに登録する際の負担を低減させることができる。
【発明を実施するための最良の形態】
【００２８】
以下、本発明を実施するための好適な実施の形態（以下、実施形態という）を、図面に従って説明する。
【００２９】
図１には本実施形態に係るデータ登録システム１のシステム構成図を、そして、図２にはデータ登録システム１に含まれる各装置の機能ブロック図を示す。データ登録システム１は、データベース管理装置５、データ登録装置１０、プリンタ２０、デジタルカメラ３０、デジタルペン４０を含み、デジタルペン４０が複数の専用紙５０を指示した位置及び指示した時刻の情報を利用して、データベース管理装置５のデータベースに登録された複数のデータと、データ登録装置１０がデジタルカメラ３０により撮像された写真データとを相互に関連づけて登録するのを支援するシステムである。以下、データ登録システム１の各装置、及び各装置による処理の詳細について説明する。
【００３０】
データベース管理装置５は、設備情報を格納した設備情報管理データベース５Ａを保持する。設備情報管理データベース５Ａは、どの建物にどのような設備が備えられているのかを管理するデータベースであり、例えば、建物の図面データや、建物に設置される機器に関する機器情報等の各種の設備情報から構成される。
【００３１】
建物の図面データには、建物の構造に関する情報に加えて、その建物に設置されている機器の配置位置情報が含まれる。これらの図面上に後述する機器情報に格納された機器を示すアイコンを配置した状態でディスプレイ上に表示し、また印刷することで、建物の設備状況を容易に可視化することができる。
【００３２】
機器情報には、データベース管理装置５が管理する機器のリストが含まれる。機器のリストは、例えば、機器のＩＤ、機器の名称、機器の設置建物、機器の設置場所、そして機器の詳細を記した詳細情報を含み構成されるものである。また、機器毎にアイコン、及び機器の設置位置に該当する図面上の位置座標をさらに記憶することとしてよい。本実施形態では、機器毎に、その機器の図面上の設置位置と、実際の設置態様をデジタルカメラ３０により撮影した写真データとをそれぞれ関連づけて設備情報管理データベース５Ａに登録する。
【００３３】
データ登録装置１０は、データベース管理装置５にアクセスして設備情報管理データベース５Ａからデータを読み込み、また設備情報管理データベース５Ａにデータの追加、更新、削除等のデータ編集を行う装置である。図２に示されるように、本実施形態に係るデータ登録装置１０は、機能として、制御部１００、記憶部１０２、通信部１０４、表示部１０６、入出力部１０８を備える。
【００３４】
制御部１００は、中央処理装置（ＣＰＵ）を含み、データ登録装置１０を構成する各部のハードウェアや、各部において行われる処理のタイミングを制御する。制御部１００は、記憶部１０２に格納されたプログラムを読み込み、読み込んだプログラムの命令を順次実行する。
【００３５】
記憶部１０２は、メモリ素子や磁気ディスク等の記憶デバイスを含み構成される。記憶部１０２には、プログラムやデータが格納されるほか、制御部１００の作業用メモリとしても用いられる。記憶部１０２に格納されるプログラムには、データ登録装置１０各部を制御するためのオペレーティングシステム等の制御プログラムや、データベース管理装置５で管理されるデータベースにアクセスするためのデータベースクライアントプログラム、プリンタ２０への印刷指示として送信する印刷ジョブを生成し、プリンタ２０との通信を制御するプリンタドライバプログラム、デジタルカメラ３０やデジタルペン４０と相互にデータ通信を行うための各デバイスドライバプログラム、そして、データベースへのデータ登録処理を制御するデータ登録プログラムが含まれる。なお、各プログラムは、図示しない媒体読取装置を用いて記憶部１０２に記憶されることとしてもよいし、インターネット等のデータ通信ネットワークを介して遠隔地からダウンロードされて記憶部１０２に記憶されてもよい。
【００３６】
通信部１０４は、ネットワークインターフェースカード（ＮＩＣ）により構成され、ネットワークインターフェースカードを介してデータ通信を行う。本実施形態では、データ登録装置１０は、ＴＣＰ／ＩＰのプロトコルにより、データベース管理装置５やプリンタ２０とデータ通信を行う。
【００３７】
表示部１０６は、液晶ディスプレイ等の表示装置を含み、表示装置に文字や画像を表示するものである。表示部１０６では、制御部１００における処理等により生成されたグラフィックデータに基づいて、ディスプレイにアプリケーションの操作画面等を表示する。
【００３８】
入出力部１０８は、外部機器とのインターフェースの機能を有し、例えばＵＳＢインターフェースにより実現されるものである。本実施形態では、入出力部１０８を介して、デジタルカメラ３０とＵＳＢケーブルにより接続し、デジタルカメラ３０とのデータ通信を行う。
【００３９】
プリンタ２０は、データ登録装置１０から印刷ジョブを受信し、受信した印刷ジョブに基づいて印刷処理を行う装置である。本実施形態では、プリンタ２０は印刷用紙に予め位置毎に異なるドットパターンが印字された専用紙を用いる。この専用紙からは、任意の位置に印字されたドットパターンを読み取ることで、そのドットパターンの専用紙における位置を特定することができる。専用紙は、例えば、用紙を格子状に区切った各格子点において、印字されるドットを上下左右にいずれかに設定し、一定の範囲内のドットより構成されるドットパターンに基づいてその用紙上の位置を特定可能なように構成されるものである。例えば、専用紙のドットパターンが６×６の格子点から構成されるとすると、ドットパターンには４の３６乗という膨大な量のパターンが含まれることとなり、これを予め定められた規則により各用紙の座標値に対応させることで、読み取ったドットパターンからどの用紙のどの座標位置であるかを特定することができる。
【００４０】
デジタルペン４０は、ペン４００に加えてカメラ４０２を搭載しており、内蔵の筆圧センサ４０４によりユーザがデジタルペン４０により専用紙に記入を開始したことを検知し、その検知に応じて内蔵のカメラ４０２を起動して専用紙上のドットパターンを連続的に撮影する。ドットパターンの撮影は、筆圧センサ４０４が用紙への記入が終了したことを検知するまで継続して行われる。制御部４０６は、撮影されたドットパターンからデジタルペン４０により記入が行われた位置を演算し、上記演算した位置と、内蔵のクロック４０８により計測されたデジタルペン４０の記入時刻とを共に関連づけてメモリ４１０に順次格納する。このメモリ４１０に格納されたデータをデータ登録装置１０へ移す際には、メモリ４１０がデジタルペン４０から着脱可能なフラッシュメモリにより構成される場合には、データ登録装置１０にフラッシュメモリのデータ内容を直接読み込ませることとしてもよいし、デジタルペン４０に無線通信機能を設けた場合には、無線通信によりデータ登録装置１０にデータを転送することとしてもよい。また、上述した機能を有するデジタルペン４０及び専用紙には、アノト（登録商標）ペン、及びアノト（登録商標）用紙等の公知の技術を用いることとしてよい。
【００４１】
デジタルカメラ３０は、撮像素子３００、クロック３０２、メモリ３０４を備えており、撮像素子により撮像された写真データとその撮像時刻とを共にメモリ３０４に記憶する。メモリ３０４は内蔵のメモリまたは着脱可能なフラッシュメモリとしてよく、メモリ３０４に格納されたデータは、デジタルカメラ３０とデータ登録装置１０とを接続したＵＳＢケーブルを介して、デジタルカメラ３０からデータ登録装置１０に転送される。
【００４２】
以下、図３乃至図８を参照しつつ、データ登録システム１におけるデータ登録処理の流れを具体的に説明する。以下説明するデータ登録処理では、機器情報リストに含まれる機器毎に、その機器の建物図面における設置位置と、実際の設置態様をデジタルカメラ３０により撮影した写真データとをそれぞれ関連づけてデータベースに登録する処理を行う。なお、本発明によるデータ登録処理は、大別して、事前準備、現地調査、データ登録処理の３つの工程からなり、以下それぞれの工程に分けて説明する。
【００４３】
［事前準備］
図３は、データ登録処理の事前準備に関するシーケンス図である。まず、データ登録装置１０は、通信部１０４を介してデータベース管理装置５にアクセスし（Ｓ１０１）、データベースに格納された図面データ、及び機器リストデータをダウンロードする（Ｓ１０２）。データ登録装置１０は、ダウンロードした図面データに基づいて建物図面を印刷する印刷ジョブを生成し、さらに、機器リストデータに基づいて機器リストの印刷ジョブを生成する（Ｓ１０３）。生成された各印刷ジョブは、通信部１０４を介してプリンタ２０に送信される（Ｓ１０４）。プリンタ２０は印刷ジョブを受信すると、受信した印刷ジョブに基づいて印刷処理を実行する（Ｓ１０５）。建物図面、及び機器リストのそれぞれの印刷用紙には、上述した位置毎に異なるドットパターンが印字された専用紙を用いる。ここで印刷される建物図面と機器リストの一例を図４に示す。
【００４４】
図４（Ａ）には、建物図面の一例が示されている。建物図面は、建物のフロア毎に生成することとしてもよいし、調査範囲となる箇所のみを対象として生成することとしてもよい。データ登録装置は、図面データの図面における各座標値と、印刷される建物図面における各座標値との対応づけを行うための変換パラメータを記憶部に記憶する（Ｓ１０６）。この変換パラメータは、例えば、印刷時の余白の設定や、印刷用紙による拡大／縮小率等に基づいて算出される値である。
【００４５】
図４（Ｂ）には、機器リストの一例を示す。図４（Ｂ）に示されるように、印刷される機器リストには、チェックボックス、機器ＩＤ、名称、建物、設置場所、詳細の欄が設けられている。これらの各項目にはデータベース管理装置５から取得した機器リストデータの内容に基づいた値がそれぞれ入力される。なお、データ登録装置１０は、各チェックボックスの印刷用紙における位置を特定する位置データと、機器のレコードを特定するレコード特定データとを対応づけて記憶部１０２に記憶する（Ｓ１０７）。本実施形態では、各チェックボックスの位置データを印刷イメージにおける各チェックボックス座標値により特定し、また、レコード特定データは機器ＩＤとする。このように各チェックボックスの位置と機器のレコード特定データとを対応づけておくことで、印刷された機器リストのチェックボックスのいずれかがデジタルペン４０によりチェックされた場合に、そのチェックされた位置に基づいて、機器リストに含まれる機器のうちどの機器を対象としてチェックが行われたのかを決定することが可能となる。
【００４６】
データ登録装置１０は、例えば、図５に示されるような、機器ＩＤと各チェックボックスの位置データとの対応関係を格納したテーブルデータを記憶部１０２に記憶する。図５に示した例では、機器ＩＤ「００１」の機器が、専用紙上のチェックボックスの領域「（Ｘ１１，Ｙ１１）to（Ｘ１２，Ｙ１２）」に対応付けられていることを示している。なお、チェックボックス領域の位置データは、チェックボックス上部の左隅、及び下部の右隅の座標データにより特定されるものとする。
【００４７】
［現地調査］
続いて図６に示されたフロー図を参照しつつ、現地調査の流れについて説明する。図６に示されるように、専用紙への建物図面と機器リストの印刷が完了すると、ユーザはデジタルペン４０のクロック、及びデジタルカメラ３０のクロックを同期させた上で（Ｓ２０１）、印刷された建物図面及び機器リスト、デジタルペン４０、並びにデジタルカメラ３０を現地に持参して調査を行う。
【００４８】
現地における調査順序としては、まず、専用紙に印刷された建物図面に対して、調査の対象とする場所にマークを記入する（Ｓ２０２）。次に、別の専用紙に印刷された機器リストに対して、上記チェック箇所に設置されている機器のチェックボックスにチェックを記入する（Ｓ２０３）。そして、調査対象の機器の写真をデジタルカメラ３０により撮影する（Ｓ２０４）。写真は複数枚撮ることとしても構わない。写真の撮影が終了すると、次に調査対象とする機器が残っているか否かを判断する（Ｓ２０５）。ここで、まだ調査対象の機器が残っていると判断する場合には（Ｓ２０５：Ｙ）処理Ｓ２０２に戻り、その調査位置について建物図面にマークを記入し、さらにその位置に備えられている機器に対応するチェックボックスにチェックを記入し、同様にデジタルカメラ３０による写真撮影を行うという一連の処理を繰り返す。一方で、調査対象とする機器が残っていないと判断する場合には（Ｓ２０５：Ｎ）、建物図面の余白にマークを記入して調査を終了する。調査終了時に建物図面の余白にチェックを記入するのは、最後の調査箇所についての時間範囲の終了時刻を確定するためである。なお、調査箇所についての時間範囲の詳細については後述する。
【００４９】
［データ登録処理］
現地調査が終了すると、引き続きユーザは、管理する機器毎に、その機器が設置されている建物図面における位置、及び現地で取得した写真データを関連づけてデータベースに登録する作業を行う。図７にはデータ登録処理のフロー図を示す。
【００５０】
データ登録装置１０はまず、デジタルペン４０に記憶された情報（以下、デジタルペン取得データとする）を読み込む（Ｓ３０１）。デジタルペン取得データには、建物図面の指示位置及び指示時刻のデータと、機器リストの指示位置及び指示時刻のデータとが含まれる。なお、データの読み込みは、データがデジタルペン４０に着脱可能に具備されたフラッシュメモリに格納されている場合には、そのフラッシュメモリをデジタルペン４０から外して、データ登録装置１０のメモリ読み取りユニットに挿入してデータ登録装置１０にフラッシュメモリの内容を直接読み込ませるようにしてもよいし、デジタルペン４０に無線通信機能が備えられている場合には、無線通信によりデータ登録装置１０にデータを転送するようにしてもよい。
【００５１】
次に、データ登録装置１０はデジタルカメラ３０に記憶された写真データを読み込む（Ｓ３０２）。具体的には、ユーザは、データ登録装置１０とデジタルカメラ３０とをＵＳＢケーブルで接続して、デジタルカメラ３０からデータ登録装置１０に写真データを転送する。
【００５２】
データ登録装置１０は、デジタルペン取得データ、及び写真データに基づいて、データの関連づけ処理（Ｓ３０３）、及び関連づけの結果に基づくデータの登録処理（Ｓ３０４）を実行する。各処理の具体的な内容については、図８を参照しつつ説明する。
【００５３】
図８は、デジタルペン取得データ及び写真データの内容を時系列に並べたものである。図８では、例えばデジタルペン４０が時刻Ｔ１に建物図面の位置Ｐ１を指示し、時刻Ｓ１に機器リストの位置Ｑ１を指示し、デジタルカメラ３０が時刻ｔ１に写真データＤ１を取得したことを示している。他の時刻におけるデータについても図８に示された通りの関係があるものとする。なお、デジタルペンにより指示された各用紙にはそれぞれ固有の座標が付与されているため、デジタルペンに記憶された位置情報から、その位置がどの用紙のどの位置であるか特定することができる。
【００５４】
まず、データ登録装置１０は、デジタルペン４０から取得したデジタルペン取得データに基づいて、デジタルペン４０が建物図面を一度指示してから次に指示するまでの間で区切られた時刻により時間範囲を設定する。図８に示された例では、［Ｔ１，Ｔ２］、［Ｔ２，Ｔ３］、［Ｔ３，Ｔ４］、［Ｔ４，Ｔ５］という５つの時間範囲が設定される。ここで［Ｔ１，Ｔ２］とは、時刻Ｔ１を始点とし、時刻Ｔ２を終点とする時間範囲を示すものとする。
【００５５】
ここで、データ登録装置は、上記時間範囲の始点における建物図面の位置座標を、元の図面データの位置座標に変換する。例えば、上記の例においては、時間範囲［Ｔ１，Ｔ２］の始点時刻Ｔ１に指示された建物図面の座標位置Ｐ１に対応する図面データの座標位置をｐ１とする。また、本実施形態では説明の便宜上、上記建物図面を指示した位置を点の座標位置としているが、これに限定されるものではなく、建物図面を指示した際の軌跡又はその軌跡を含む領域のデータとしてよいのはもちろんである。
【００５６】
次に、データ登録装置１０は、各時間範囲内にデジタルペン４０により指示された機器リストの指示位置を特定する。そして、特定した機器リストの指示位置が、どの機器のチェックボックス領域に含まれるかを判断し、その判断されたチェックボックス領域に関連づけて記憶部１０２に記憶される機器を各時間間隔に対応する機器として決定する。すなわち、図８に示された例では、時間範囲［Ｔ１，Ｔ２］に含まれる時刻Ｓ１においてデジタルペン４０により指示された位置Ｑ１が、図５に示されたテーブルに関連づけられた位置データの（Ｘ２１，Ｙ２１）と（Ｘ２２，Ｙ２２）との間に含まれるとすると、時間範囲［Ｔ１，Ｔ２］には機器ＩＤ「００２」が対応すると決定される。
【００５７】
続いてデータ登録装置１０は、各時間範囲内で撮影された写真データを特定して、その特定された写真データを、各時間範囲に対応する写真データとして決定する。図８に示された例では、時間範囲［Ｔ１，Ｔ２］の間の時刻ｔ１に写真データＤ１が取得されているため、写真データＤ１が時間範囲［Ｔ１，Ｔ２］に対応する写真データとして決定される。
【００５８】
こうして、各時間範囲に対応するデータが建物図面、機器リスト、そしてデジタルカメラのデータから決定されると、データ登録装置は、それら同一の時間範囲に対応するデータ同士を関連づけてデータベースに登録する。すなわち、上記の例における時間範囲［Ｔ１，Ｔ２］に基づいて、データ登録装置は、図面データの座標位置ｐ１と、機器リストから取得された機器ＩＤ「００２」と、デジタルカメラから取得された写真データＤ１とをそれぞれ関連づけてデータベースに登録することとなる。
【００５９】
上記の関連づけ処理及び登録処理を全ての時間範囲について行うことにより、設備情報管理データベースにデータ同士を適切に関連づけながらデータ登録することを容易に行うことができる。このようにデータ同士を適切に関連付けることで、例えば、図面データに機器のアイコンを配置して表示し、表示したアイコンがクリックされた際に機器の詳細情報や、機器の写真データを表示させることができるようになる。
【００６０】
以上説明したように、本実施形態に係るデータ登録システム１によれば、現地調査時に取得したデータをデータベースに登録する際の負担を低減させることができる。また、専用紙を一度指示してから次に指示するまでにデジタルカメラで撮影された写真データを、最初に指示した位置に対応づけられた機器に関連づけて登録するため、ユーザにとっては直感的な操作とすることができる。
【００６１】
なお、本発明は上記の実施形態に限定されるものではない。
【００６２】
上記の実施形態では、データベースがデータ登録装置１０とは別筐体のデータベース管理装置５に構築されていることとしたが、必ずしもこれに限るものではなく、データベースがデータ登録装置１０に構築されていることとしても構わない。
【００６３】
本実施形態では、２つの用紙のうち一方に図面を印刷し、他方に機器のリストを印刷して、図面の位置と機器のレコードとを関連づける処理を行っているがこれに限られるものではなく、複数の用紙にそれぞれデータベースのテーブルを印刷し、片方の用紙のレコードをチェックしてから、他方のレコードをチェックすることで、双方のレコードを関連づけることとしてもよい。また、利用する用紙の数は２に限られるものではなく、３以上あっても構わない。また、複数ある用紙のうち、本実施形態における建物図面のように時間範囲を設定するための用紙を、予め定められた用紙にすることとしてもよい。
【００６４】
また、本実施形態では、機器ＩＤに関連づけてチェックボックスの領域を表す位置データを記憶することとしたが、これに限られるものではなく、位置データの示す領域を機器リストにおけるレコードが記述された行の全て又はその一部としてもよい。
【００６５】
また、本実施形態では、デジタルカメラ３０により撮影された写真データを対応する機器とともにデータベースに登録することとしたが、データ取得装置はデジタルカメラに限られるものではなく、取得したデータとともにデータの取得時刻を記録することができる装置であればＩＣレコーダやＲＦＩＤリーダ等の各種装置をデータ取得装置に適用できるのはもちろんのことである。
【図面の簡単な説明】
【００６６】
【図１】本実施形態に係るデータ登録システムのシステム構成図である。
【図２】データ登録システムの機能ブロック図である。
【図３】データ登録処理の事前準備に関するシーケンス図である。
【図４】印刷される機器リストの一例を示す図である。
【図５】機器のＩＤと各チェックボックスの位置データとの対応関係を格納したテーブルデータを示す図である。
【図６】現地調査のフロー図である。
【図７】データ登録処理のフロー図である。
【図８】データの関連づけ処理、及び関連づけの結果に基づくデータの登録処理を説明する図である。
【符号の説明】
【００６７】
１  データ登録システム、５  データベース管理装置、５Ａ  設備情報管理データベース、１０  データ登録装置、２０  プリンタ、３０  デジタルカメラ、４０  デジタルペン、５０  専用紙、１００  制御部、１０２  記憶部、１０４  通信部、１０６  表示部、１０８  入出力部、３００  撮像素子、３０２  クロック、３０４  メモリ、４００  ペン、４０２  カメラ、４０４  筆圧センサ、４０６  制御部、４０８  クロック、４１０  メモリ。
【図１】
0005291899.tif 000002
【図２】
0005291899.tif 000003
【図３】
0005291899.tif 000004
【図４】
0005291899.tif 000005
【図５】
0005291899.tif 000006
【図６】
0005291899.tif 000007
【図７】
0005291899.tif 000008
【図８】
0005291899.tif 000009